Podtech/llm-jp-corpus-v4-ja_patent huggingface dataset:
(57)【要約】【課題】天然木の木目をデザインに利用した鞄を提供する。【解決手段】木製合成素材１は、木製シート１０と、弾性素材２０と、芯素材３０と、縁取り素材４０とを有する。なお、木製シート１０と弾性素材２０との間及び弾性素材２０と芯素材３０との間は、接着剤により接着されている。木製シート１０は、天然木を薄くスライスして得た薄板材である。弾性素材２０は、一定の弾性を有する素材である。弾性素材２０は、木製シート１０に弾性を付与し、木製シート１０の感触を良くする。芯素材３０は、一定の耐折強さを有する素材である。芯素材３０は、木製シート１０が折れ曲がるのを防止する。縁取り素材４０は、一定の強度を有する素材である。縁取り素材４０は、接着された木製シート１０、弾性素材２０、及び芯素材３０の外周を補強する。このような木製合成素材１が、貼り合わせの技法により鞄の胴体のパーツとして用いられる。【選択図】図１
2010279626.tif 000002
【特許請求の範囲】
【請求項１】
天然木で構成された木製シートと、
弾性素材と、
芯素材と、
縁取り素材とから形成された木製合成素材を用いて作成されてなる鞄。
【請求項２】
前記木製シートは、柔軟加工されたものである
請求項１に記載の鞄。
【請求項３】
貼り合わせの技法により前記木製合成素材を用いて作成されてなる
請求項１又は２に記載の鞄。
【発明の詳細な説明】
【技術分野】
【０００１】
本発明は、木製合成素材を用いた鞄に関するものである。
【背景技術】
【０００２】
例えば、特許文献１には、天然木薄板材を用いた用具が開示されている。
【先行技術文献】
【特許文献】
【０００３】
【特許文献１】実登３０６２６６１号公報
【発明の概要】
【発明が解決しようとする課題】
【０００４】
天然木の木目をデザインに利用した鞄を提供する。
【課題を解決するための手段】
【０００５】
上記課題を解決するために、本発明に係る鞄は、天然木の木製シートと、弾性素材と、芯素材と、縁取り素材とから形成された木製合成素材を用いて作成されてなる。
【０００６】
好適には、前記木皮シートは、柔軟加工されたものである。
【０００７】
好適には、本発明に係る鞄は、貼り合わせの技法により前記木製合成素材を用いて作成されてなる。
【発明の効果】
【０００８】
本発明によれば、天然木の木目を鞄のデザインに利用することができる。
【図面の簡単な説明】
【０００９】
【図１】図１は、木製合成素材１の垂直断面図である。
【図２】図２は、木製合成素材１の上面図である。
【図３】図３は、木製合成素材１を用いた鞄１００の模式図である。
【発明を実施するための形態】
【実施例１】
【００１０】
図１は、木製合成素材１の垂直断面図である。
図１に例示するように、木製合成素材１は、木製シート１０と、弾性素材２０と、芯素材３０と、縁取り素材４０とを有する。なお、木製シート１０と弾性素材２０との間及び弾性素材２０と芯素材３０との間は、接着剤により接着されている。接着剤は、特に限定するものではないが、木製シート１０の柔軟性を阻害しないものであることが望ましい。
【００１１】
木製シート１０は、天然木を薄くスライスして得た薄板材である。木製シート１０の厚さは、天然木の種類により最適値が異なり、０．０５ｍｍ〜０．３ｍｍの範囲である。例えば、木製シート１０の厚さの最適値は、黒柿の場合は０．１５ｍｍ、黒丹の場合は０．１１ｍｍ、桐の場合は０．１３〜０．１４ｍｍ、カバの場合は０．１７〜０．１８ｍｍ、ナラの場合は０．２ｍｍ、ケヤキの場合は０．２５〜０．２８ｍｍである。また、木製シート１０は、既知の方法により柔軟加工されていることが望ましい。木製シート１０を柔軟加工するには、例えば、高分子化合物を木製シート１０の導管に含浸させる。これにより、木製シート１０は、鞄の使用に耐えうる柔軟性を獲得することができる。さらに、木製シート１０は、含浸させる高分子化合物により、防水性と耐腐食性を高めることができる。
【００１２】
弾性素材２０は、一定の弾性を有する素材である。弾性素材２０は、木製シート１０に弾性を付与し、木製シート１０の感触を良くする。例えば、弾性素材２０は、不織布、メッシュ素材シート、又は発砲シートなどである。
【００１３】
芯素材３０は、一定の耐折強さを有する素材である。芯素材３０は、木製シート１０が折れ曲がるのを防止する。例えば、芯素材３０は、ボール紙又は合成樹脂板などである。
【００１４】
縁取り素材４０は、一定の強度を有する素材である。縁取り素材４０は、接着された木製シート１０、弾性素材２０、及び芯素材３０の外周を補強する。例えば、縁取り素材４０は、革などである。また、縁取り素材４０は、木製シート１０の上面で折り返して縫い付けられる。このとき、ミシン目は、木製シート１０の柔軟性を考慮して、通常より大きめであることが望ましい。
【００１５】
図２は、木製合成素材１の上面図である。
図２に例示するように、木製合成素材１の表面には、木製シート１０の木目が現れる。また、木製合成素材１は、天然木の質感及び匂いを有している。なお、木製合成素材１の大きさは、用いる対象に応じて、任意である。
【００１６】
以上説明した構成により、木製合成素材１は、鞄に必要な柔軟性、防水性、耐腐食性、及び耐折強さを有している。また、木製合成素材１の木目は、鞄のデザインに利用できる。さらに、木製合成素材１が有する天然木の質感及び匂いが、鞄の付加価値を高めてくれる。
【００１７】
図３は、木製合成素材１を用いた鞄の模式図である。
図３に例示するように、鞄１００は、胴体部分に木製合成素材１を利用している。鞄１００は、通常の革の鞄のように縫製してひっくり返す技法では、木製シート１０への負荷が大きく、木製シート１０を傷める恐れがあるので、鞄をひっくり返さずに形にする「貼り合わせ」という伝統工芸の技法を用いて作成される。貼り合わせの技法とは、鞄のパーツを接着剤により貼り合わせて組み立てていく技法のことである。本実施例では、木製合成素材１は、鞄１００の胴体のパーツとして貼り合わされている。
【００１８】
以上説明したように、鞄１００は、貼り合わせの技法により、胴体部分に用いられる木製合成素材１を傷めることなく、作成される。
【符号の説明】
【００１９】
１      木製合成素材
１０    木製シート
２０    弾性素材
３０    芯素材
４０    縁取り素材
１００  鞄
【図１】
2010279626.tif 000003
【図２】
2010279626.tif 000004
【図３】
2010279626.tif 000005
(57)【要約】【課題】巻爪等変形した爪も切れる爪切りを提供する。【解決手段】刃３を両側に設け、刃の先端４を設け、連続した刃とする。【選択図】図１
2010279665.tif 000002
【特許請求の範囲】
【請求項１】
刃３を両側に設け、刃の先端４を設け、連続した刃としたニッパー形爪切り。
【発明の詳細な説明】
【技術分野】
【０００１】  本発明は、ニッパー形爪切りに関するものである。
【背景技術】
【０００２】  従来の爪切りの刃は片側であり、巻爪等変形した爪を切り取るのは困難であった。
【先行技術文献】
【０００３】
【特許文献１】  実開平０５−０１１９１２号公報  特開平１１−２３５２２６号公報
【非特許文献１】
【発明の概要】
【発明が解決しようとする課題】
【０００４】  普通の爪、巻爪等変形した爪も切れるようにするものである。
【課題を解決するための手段】
【０００５】  刃３を両側に設け、刃の先端４を設け、連続した刃としたものである。
【発明の効果】
【０００６】  刃３で普通の爪切りとして使用し、刃の先端４で巻爪等変形した爪を切り取ることが出来る。
【図面の簡単な説明】
【０００７】
【図１】  本発明の斜視図である。
【図２】  本発明の刃３、刃の先端４の平面形状図である。
【図３】  本発明の刃先の断面図である。
【発明を実施するための形態】
【０００８】  以下、本発明の実施の形態について説明する。
刃３を両側に設け、刃の先端４を設けた本体１を上下組み合わせ支点ピン２で連結する。
【符号の説明】
【０００９】    １  本体
２  支点ピン
３  刃
４  刃の先端
【図１】
2010279665.tif 000003
【図２】
2010279665.tif 000004
【図３】
2010279665.tif 000005
(57)【要約】【課題】スペースインベーダーとテトリスとを融合したゲームを、新たなハードウェアを用意することなく実現できるようにする。【解決手段】操縦する機体がテトリスのブロックに接触しないようにしながら敵機を破壊するゲームである。敵機に操縦機からのミサイルを当てることにより、テトリスのブロックが出現する。このテトリスのブロックの操作が操縦機からのミサイルによりできる。操縦機から４種類のミサイルを発射でき、テトリスのブロックを１マス左に移動（１）、９０°反時計回りに回転（２）、１マス右に移動（３）および高速に落下（４）させることができる。このような４種類のミサイルを用意することで、従来のゲーム機やパソコン上での実現が可能である。【選択図】図５
2010279667.tif 000002
【特許請求の範囲】
【請求項１】
操縦している機体がテトリスのブロックに接触すると機体が破壊されることとなるビデオゲーム。
【請求項２】
敵機がテトリスのブロックを保持し、操縦している機体からのミサイルが敵機に当たった場合、敵機は消滅し保持していたブロックとなるビデオゲーム。
【請求項３】
テトリスのブロックを操縦している機体からの４種類のミサイルで操作するビデオゲーム。
【発明の詳細な説明】
【技術分野】
【０００１】  この発明はビデオゲームに係り、特にゲームの操作方法に関する。
【背景技術】
【０００２】  従来から、図２に示すように、スペースインベーダーと呼ばれるゲームで遊ぶことができる。また、図３に示すように、テトリスと呼ばれるゲームで遊ぶことができる。
【先行技術文献】
【特許文献】
【特許文献１】特開２００２−０００９４６号公報
【特許文献２】特開２００１−０６２１４３号公報
【発明の概要】
【発明が解決しようとする課題】
【０００３】  しかしながら、これら２つのゲームを融合したゲームは用意されていない。また、これら２つのゲームを並行して同時に行えるようにしただけではゲーム性に乏しい。融合と呼べるゲームとするためには、新たなゲーム性が含まれるようにしなければならない。【０００４】  このゲームを実現するためには、スペースインベーダーでミサイルを発射する機体の操作とテトリスで落下するブロックの操作の両方をできなければならない。【０００５】  本発明は、図１に示すように、スペースインベーダーとテトリスとを融合したゲームができるようにすることを目的とする。【０００６】  以下では、スペースインベーダーでミサイルを発射する機体を操縦機と呼び、スペースインベーダーでの敵を敵機と呼ぶこととする。また、テトリスで落下するブロックのことをブロックと呼ぶこととする。
【課題を解決するための手段】
【０００７】  本発明のゲームは、操縦機がすべて破壊されるか、敵機に侵入されればゲーム終了となる。操縦機は、敵機からのミサイルに当たれば破壊される。ここまでは、スペースインベーダーと同様である。操縦機は、落下してくるブロックや下から積み上がったブロックと接触した場合も破壊される。【０００８】  図４の１に示すように、敵機はブロックを保持しており、いずれのブロックを保持しているかが表示される。操縦機から発射するミサイルが敵機に当たると、図４の２に示すように、敵機は破壊されブロックだけとなる。そのブロックは、テトリスと同様に、落下して積み重なり、横一列すき間なくブロックで埋まったところのブロックは消滅する。【０００９】  操縦機から、図５に示すような４種類のミサイルが発射できる。ミサイルが敵機に当たった場合、ミサイルの種類に依らず、敵機は消滅しブロックだけとなる。ミサイルがブロックに当たった場合、ミサイルの種類に従って次のような動作となる。ブロックが１マス左に移動（１）、ブロックが９０°反時計回りに回転（２）、ブロックが１マス右に移動（３）およびブロックが高速に落下（４）の４種類である。このように、操縦機からのミサイルでブロックを操作する。
【発明の効果】
【００１０】  本発明のゲームは、操縦機の位置までブロックが積み上がらないようにしながら、すべての敵機を破壊するゲームである。敵機が保持するブロックは表示されているので、必要となるブロックを保持する敵機を狙うという新たなゲーム性が生まれる。【００１１】  操縦機からのミサイルでブロックを操作するので、新たなハードウェアを用意することなく、従来のゲーム機やパソコン上で遊ぶことができる。【００１２】  本発明のゲームは、過去に従来のゲームを楽しんだ人の嗜好に合うものであり、現在のゲームからは離れている人でも楽しむことができる。また、現在のゲームを楽しんでいる人が昔のゲームに興味を持つきっかけとなる。
【発明を実施するための形態】
【００１３】  本発明のゲームは、従来からのテレビゲーム機やパソコン上で実施できるものである。
【００１４】  図６に示すように、４つのボタンと十字のボタンがあるゲーム機の場合、４つのボタンをそれぞれ押すことにより４種類のミサイルがそれぞれ発射される。４種類のミサイルとは、図５に示すものである。十字のボタンは操縦機の移動に使用する。
【００１５】  ジョイステッキを接続したパソコン上で行う場合、ある４つのキーを４つのボタン用に割り当てる。この場合、これら４つのキーを押してもミサイルは発射されず、ミサイルの種類の設定が変化するのみである。いずれの設定となっているか画面表示され、ジョイステッキ側のボタンを押したときに設定されている種類のミサイルが発射される。ジョイステッキは、操縦機の移動にも使用する。パソコン上に限らず、操縦機の移動を操作している側でボタンが使用できるゲーム機の場合、このボタンによりミサイルが発射される。別の４つのボタンは、ミサイルの種類の設定を変更するために使用する。
【図面の簡単な説明】
【００１６】
【図１】本発明のゲームでの一表示画面。
【図２】従来のスペースインベーダーと呼ばれるゲームの一表示画面。
【図３】従来のテトリスと呼ばれるゲームの一表示画面。
【図４】本発明のゲームで登場する敵機の動作の一形態を示す。〔符号の説明〕１  敵機がミサイルに当たる前の形態  ２  敵機がミサイルに当たった後の形態
【図５】本発明のゲームで使用する４種類のミサイルを示す。拡大図であり、実際は敵機の１０分の１程度の大きさである。〔符号の説明〕１  ブロックを１マス左に移動させるミサイル  ２  ブロックを９０°反時計回りに回転させるミサイル  ３  ブロックを１マス右に移動させるミサイル  ４  ブロックを高速に落下させるミサイル
【図６】本発明のゲームにおけるゲーム機のボタンの役割を示す。〔符号の説明〕１  図５の１のミサイルを発射するボタン  ２  図５の２のミサイルを発射するボタン  ３  図５の３のミサイルを発射するボタン  ４  図５の４のミサイルを発射するボタン  ５  操縦機の移動を操作する十字のボタン
【図１】
2010279667.tif 000003
【図２】
2010279667.tif 000004
【図３】
2010279667.tif 000005
【図４】
2010279667.tif 000006
【図５】
2010279667.tif 000007
【図６】
2010279667.tif 000008
(57)【要約】【課題】  これまでの水虫を解消する塗り薬は効能に乏しく、更に、作用した後患部を露出したままで、他人への不快感が払拭できない難点があった。【解決手段】  本発明は、半永久的な電気エネルギーを保持し、マイナスイオンや遠赤外線を発生するドラバイトを微粉末にし、その活性状態をより高めるため、孟宗竹の根の部分だけを焼き上げた炭の微粉末を７対３の割合で混合し、水虫に効果てき面な混合粉末を作成した。それを布容器に入れて靴下、サポーター、その他の足当て等に接合して患部に当てる。【選択図】図２
2010279661.tif 000002
【特許請求の範囲】
【請求項１】
ドラバイトの微粉末と竹炭の微粉末を７対３の割合で混合し、布容器に入れて水虫の患部に当てて使用する水虫解消マット
【発明の詳細な説明】
【技術分野】
【０００１】  本発明は、ドラバイトと竹炭の混合微粉末の効能による水虫の解消に関するものである。
【背景技術】
【０００２】  水虫を解消するものとしては多くの実用品があるが、差ほどの効能が確認されていない。
【先行技術文献】
【特許文献１】
【０００３】
【発明の概要】
【発明が解決しようとする課題】
【０００４】  従来の水虫解消のための塗り薬は効能性に乏しく、更に直接肌に作用し、患部は露出したままで、他人に与える不快感があった。
【課題を解決するための手段】
【０００５】  本発明は、半永久的な電気エネルギーを保持し、マイナスイオンや遠赤外線を発生するドラバイトを微粉末にし、その活性状態をより高めるため、孟宗竹の根の部分だけを焼き上げた炭の微粉末を７対３の割合で混合し、水虫に効果てき面な混合粉末を作成した。それを布容器に入れて靴下、サポーター、その他の足当て等に接合して患部に当てる。
【発明の効果】
【０００６】  本発明は、ドラバイトと竹炭の混合微粉末の効能に加え、布容器使用のため、肌への負担がなく脱着自在である。又他人への不快感も払拭でき、当該粉末の性質上繰り返し使用できる。
【図面の簡単な説明】
【０００７】
【図１】  本発明の水虫解消マットの本体である。
【図２】  本マットの実施例の１概要図である。
【発明を実施するための形態】
【０００８】  ドラバイトと竹炭の混合粉末を入れた布容器を靴下、サポーター、その他の足当て等に接合して使用する。
【実施例】
【０００９】  以下、添付図面に従って実施例を説明する。図１は１の布容器に２の混合粉末を入れた水虫解消マット本体である。【００１０】  図２は足にマット本体を取り付けた実施例の１概要図である。【００１１】  本考案の実施例は上述のとおりであるから、混合粉末の効能に加え、脱着自在であり、他人への不快感も払拭できる。
【符号の説明】
【００１２】  １    混合粉末を入れる布容器
２    ドラバイトと竹炭の混合粉末
【図１】
2010279661.tif 000003
【図２】
2010279661.tif 000004
(57)【要約】【課題】  従来の肘掛け付きの椅子は、利用者の体型に合わせて肘掛け間の幅の調整ができない為、良好な使用感、快適な安息が得られにくいといった問題があった。【解決手段】肘掛け部を肘置き部材１，２と肘掛構造部３，４に分け分離可能な構造とする。肘置き部材１、２にある肘掛構造部３、４と結合する為のナット６の取付位置を部材長手方向の中心線よりずらした構造とする。肘置き部材１、２を利用者は体格により左右を入れ替えて取り付けることにより肘掛け間の幅を容易に調整し良好な使用感、快適な安息を提供する。【選択図】図４
2010279662.tif 000002
【特許請求の範囲】
【請求項１】
肘掛け部を肘置き部材と肘掛構造部に分け分離可能な構造とし、かつ肘置き部材にある肘掛構造部と結合する為のナットの取付位置を部材長手方向の中心線よりずらすことで左右の部材を入れ替えて肘掛け間の幅を調整できる機能を有する椅子。
【発明の詳細な説明】
【技術分野】
【０００１】  本発明は一般家庭、介護施設などにおいて用いる椅子に関するものである。
【背景技術】
【０００２】  従来の肘掛け付きの椅子は、利用者の体格に合わせて肘掛け間の幅の調整ができない為、良好な使用感、快適な安息が得られにくい。
【発明の概要】
【発明が解決しようとする課題】
【０００３】  本発明の椅子は斯様な状況に鑑み、肘掛け間の幅を容易に調整することを可能にし体格の違う利用者に良好な使用感と快適な安息を提供することを目的とするものである。
【課題を解決するための手段】
【０００４】  前記目的を達成するために本発明は肘掛け部分を、肘置部材と肘掛け構造部に分け、ネジにより固定、分離を可能とする構造とする。【０００５】  次に肘置き部材の裏面にある固定用ナットの取り付け位置を部材の長手方向中心線より椅子の内側へずらした位置とする。
【発明の効果】
【０００６】  本発明によれば、利用者は体格により肘置部材を左右入れ替えて取付けることにより、容易に肘掛け間の幅を調整でき、より利用者の体型にあった良好な使用感、快適な安息を得られる。
【図面の簡単な説明】
【０００７】
【図１】  図１は、椅子の斜視図である。
【図２】  図２は、要部の側面図である。
【図３】  図３は、椅子の平面図である。
【図４】  図４は、要部の正面図である。
【図５】  図５は、要部の肘置き部材の左右を入替えて取付後の正面図である。
【発明を実施するための形態】
【０００８】  次に本発明の実施形態を図面を参照して説明する。肘掛け部は肘置き部材１，２と肘掛構造部３，４から形成される。肘置き部材１、２と肘掛け構造部３，４はネジ５、及びナット６により結合され、ネジ５を外すことで分離可能な構造とする。
【０００９】  肘置き部材１、２は下部にそれぞれネジ５を受けるナット６を２個ずつ有しその取付位置は部材の長手方向の中心線より、肘置き部材１は１ａ面の方向へ、肘掛け部材２は２ａ面の方向にずらした位置とする。
具体的には１ａ面、２ａ面からそれぞれ、肘掛構造部の幅の概ね半分程度の位置に取付けると位置的に良好になる。
【００１０】  上記肘置き部材１、２を、体格の大きい利用者が利用する場合は図４のように取付けまた、体格の小さい利用者の場合は図５の様に取付けることでそれぞれ利用者が良好な使用感と快適な安息を得られる寸法を選ぶことが可能となるとともに上半身を支える力の衰えた高齢者や病人の体を安定させることができる。
【符号の説明】
【００１１】  １    肘置き部材１
１ａ  肘置き部材１の側面ａ
２    肘置き部材２
２ａ  肘置き部材２の側面ａ
３    肘掛け構造部  ３
４    肘掛け構造部  ４
５    ネジ
６    ナット
【図１】
2010279662.tif 000003
【図２】
2010279662.tif 000004
【図３】
2010279662.tif 000005
【図４】
2010279662.tif 000006
【図５】
2010279662.tif 000007
(57)【要約】      （修正有）【課題】設置場所の空間スペースの有効活用のため、幅方向のみならず、奥行き方向にも伸縮可能なパイプ棚を提供する。【解決手段】棚部分を平行に配置した複数の棚用長外パイプ１と、これに内接し摺動する同数の棚用長内パイプ２と、これらの両端部に直交して棚用短外パイプ３と、これに内接し摺動する棚用短内パイプ４とを配置して構成し、また、棚部分の四隅に脚９を立設すると共に脚９下部を脚保持用短外パイプ７と、これに内接し摺動する脚保持用短内パイプ８とで連結し、以上の各パイプの交点を接続部品Ａ、Ｂ、Ｃ（５、６、１０）で接続し、各外内パイプの摺動により幅方向、奥行き方向に伸縮可能とする。【選択図】図２
2010279664.tif 000002
【特許請求の範囲】
【請求項１】
本発明は棚部及び脚保持用長短内パイプ、外パイプと各接続部にて構成され、内パイプ外パイプを伸縮させる事により棚スペースを調整する機構をもった伸縮自在型整理棚。
【請求項２】
本発明は棚部及び脚保持用長短内パイプ、外パイプを幅方向及び奥行方向も伸縮させる事により、棚スペースを調整する機構をもった伸縮自在型整理棚。
【発明の詳細な説明】
【技術分野】
【０００１】本発明は棚部に当たる内外パイプを自在に伸縮調整できる機能を図った整理棚に関するものである。
【背景技術】
【０００２】従来の伸縮整理棚については幅方向及び高さ方向のみ伸縮機能を持ち合わせた物が一般的である。【０００３】棚部に関しては樹脂性部品を乗せ対応を図っているものが一般的である。
【発明の概要】
【発明が解決しようとする課題】
【０００４】ところが従来の機構では幅及び高さ方向には伸縮可能でありましたが、奥行き方向は固定され空間スペースの有効活用ができませんでした。
【課題を解決するための手段】
【０００５】請求項１に記載の発明は各内パイプと外パイプが接続部品に装着された棚部を形成し各内パイプと外パイプを伸縮させることにより、棚スペースを調整可能となる。【０００６】請求項２に記載の発明は幅方向及び奥行方向の各内パイプと外パイプを伸縮させる事により棚スペースを調整可能とする。
【発明の効果】
【０００７】本発明により設置場所の幅、奥行きを理想的な形に設定し、空間の有効活用を可能にする。
【図面の簡単な説明】
【０００８】
【図１】本発明の実施形態を表わす伸縮自在整理棚の最小サイズ形状図面
【図２】本発明の実施形態を表わす伸縮自在整理棚の最大サイズ形状図面
【図３】本発明の実施形態を表わす収縮時部分拡大図
【図４】本発明の実施形態を表わす伸長時部分拡大図
【発明を実施するための形態】
【０００９】以下、本発明の実施の形態を図１〜図２に基づいて説明する。
【実施例】
【００１０】図１，２の部品構成は以下の通りとなります。
棚用長外パイプ１の中に棚用長内パイプ２が挿入される。棚用短外パイプ３の中に棚用短内パイプ４を挿入される。棚保持用短外パイプ７の中に棚保持用短内パイプ８を挿入される。組込まれた各パイプと接続部品Ａ５、接続部品Ｂ６、接続部品Ｃ１０と脚９とが取り付けられている。【００１１】図１においては、棚用各パイプ及び脚保持用各パイプを押し縮めて棚部スペースを最小サイズにする。【００１２】図２においては、棚用各パイプ及び棚保持用各パイプを伸ばして棚部スペースを最大サイズにする。
【産業上の利用可能性】
【００１３】設置場所のスペースに合わせて空間スペースを有効活用できる。
【符号の説明】
【００１４】  １  棚用長外パイプ
２  棚用長内パイプ
３  棚用短外パイプ
４  棚用短内パイプ
５  接続部品Ａ
６  接続部品Ｂ
７  脚保持用短外パイプ
８  脚保持用短内パイプ
９  脚
１０  接続部品Ｃ
【図１】
2010279664.tif 000003
【図２】
2010279664.tif 000004
【図３】
2010279664.tif 000005
【図４】
2010279664.tif 000006
(57)【要約】【課題】  身体片麻痺の人が、片手で車椅子を左折、右折、前後進を楽にでるようにする。【解決手段】  車椅子のシートの左右下にハンドリムに直結したギア（ハ）と車輪に直結したギア（二）を組み込み、ハンドリムと車輪の回転が２対１になるように伝達ギア（ホ）を取り付け、シートの下に板バネ（ヘ）を組み込み、シートの中央を板バネの固定にし、左右両端が上下に動くようにし、板バネと伝達ギアを、接続してシートに腰掛けたとき、体重により板バネが下がり、伝達ギアがハンドリムと車輪を接続する。体重を左右に移動することにより左右のギアの切り替えを行う。【選択図】図１
2010279666.tif 000002
【特許請求の範囲】
【請求項１】
車椅子のシート（ロ）の左右下にハンドリムに直結したギア（ハ）と車輪（チ）に直結したギア（二）を組み込み、ハンドリム（ト）と車輪（チ）の回転が２対１になるように伝達ギア（ホ）を取り付け、シートの下に板バネ（ヘ）を組み込み、シートの中央を板バネの固定にし、左右両端が上下に動くようにし、板バネと伝達ギアを、接続してシートに腰掛けたとき、体重により板バネが下がり、伝達ギアがハンドリムと車輪を接続する。体重を左右に移動することにより左右のギアの切り替えを行うので、片手でも、ハンドリムを廻して左折右折前後進ができる車椅子。
【発明の詳細な説明】
【技術分野】
【０００１】  この発明は、片手で操作する車椅子に関するものである。
【背景技術】
【０００２】  従来、片手で駆動する車椅子は、左右どちらかに、ハンドリムが２本付いたものがあった。
【特許文献１】
【特許文献２】
【非特許文献１】
【非特許文献２】
【発明の開示】
【発明が解決しようとする課題】
【０００３】（イ〕  これは、次のような欠点があった。前後進するときに、２本のハンドリムを片手で同時につかんで廻さなければならないため、指の力が強くなければできない。
（ロ〕  ２本のハンドリムの大きさが違うため左折と右折の操作のバランスが違い、長い間使いつずけていると、意識に偏重をきたすおそれがある。
（ハ〕  これは、利き手によって左右どちらかに２本のハンドリムを取り付けなければならず、施設などで共用することが難しい。
【課題を解決するための手段】
【０００４】（イ）  車輪（チ）からハンドリム（ト）は切り離して、回転するようになっていて、接続ギア（ホ）によって左車輪、右車輪、両車輪と接続することによって、右折、左折、前後進することができる。
（ロ）  このとき、車輪とハンドリムのギア比を２対１にして、ハンドリムが２回転したとき、車輪は１回転する。
（ハ）  ギアの切り替えは、シートに座ったまま体を左右に傾けることによって体重を掛けてシートの下に取り付けた接続ギアを入、切する。
【発明の効果】
【０００５】（イ）  この発明は、以上のような構造で、片側身体が麻痺の人でも片手で楽に左折、右折、前後進する事ができる。
（ロ）  左麻痺、右麻痺のどちらの人でも使えるように、ハンドリムは、両側に取り付けてあり１本の軸で繋がっている。
（ハ）  それゆえに、施設等で共用することが容易である。
【発明を実施するための最良の形態】
【０００６】  車椅子のシート（ロ）の左右下にハンドリム（ト）に直結したギア（ハ）と車輪に直結したギア（二）を組み込み、ハンドリムと車輪の回転が２対１になるように伝達ギア（ホ）を取り付け、シートの下に板バネ（ヘ）を組み込み、シートの中央を板バネの固定にし、左右両端が上下に動くようにし、板バネと伝達ギアを、接続してシートに腰掛けたとき、体重により板バネが下がり、伝達ギアがハンドリムと車輪を接続する。体重を左に掛けるとハンドリムと左車輪が連結し、左車輪だけ動く、体重を右に掛けるとその逆の動きとなる。左右平均に座るとハンドリムは両車輪に連結し直進する。また、ハンドリムと車輪の回転比を２対１にしてあるので片手でも軽く操作できる。
【図面の簡単な説明】
【０００７】
【図１】  本発明の正面図
【図２】  本発明の側面図
【図３】  左側ギアが連結した状態を示す
【図４】  右側ギアが連結した状態を示す
【符号の説明】イ  車体      ロ  シート      ハ  ハンドリム直結ギア      二  車軸直結ギア      ホ  伝達ギア      ヘ  板バネ      ト  ハンドリム      チ  車輪      リ  ハンドリム軸
【図１】
2010279666.tif 000003
【図２】
2010279666.tif 000004
【図３】
2010279666.tif 000005
【図４】
2010279666.tif 000006
(57)【要約】【課題】      箒の持ち手の柄と穂先との関係を、力点と作用点の位置関係に注視し、持ち手の柄の形状を変えることによって作業効率を上げる手段を提供する。【解決手段】  持ち手となる柄の先端部分を、Ｊ字状に造形する。Ｊ字状に曲がった一部分に、箒の頭部の中央部分を接続する。その箇所を支点とする。作業を行う人が握る持ち手の柄の部分を力点とする。接続部分の支点から下ろした穂先の部分を作用点とする。力点である持ち手の柄の直線部分から延長した線上に、箒の穂先の作用点が交差一致するように柄と箒との接続設定する。力点と作用点が重なり一致することによって、作業を行う人の腕の力が効率良く作用点に伝達される。本発明は、以上の構成よりなる箒部分に接続される持ち手の柄を特徴とする。【選択図】図１
2010279670.tif 000002
【特許請求の範囲】
【請求項１】
箒の穂先の作用点と持ち手の柄の力点の延長線とが交差一致するように、箒部分の中央に接続する持ち手の柄の先端をＪ字形に造形した箒の柄。
【発明の詳細な説明】
【技術分野】
【０００１】この発明は、箒の持ち手の柄の先端の部分をＪ字形の形状にし、その形状の一点に箒の中央部分を接続することによって、箒の穂先の作用点と持ち手の柄の力点の延長線とを交差一致させるものである。
【背景技術】
【０００２】従来からある自在箒は、真っ直ぐな持ち手の柄の先端部分が箒部分と接続されている。
実際に掃き掃除を行う際、身体の構造上真っ直ぐな持ち手の柄は斜めにした状態で使用される。
この状況下、柄の直線を延長した想定の線上に、箒の穂先の中心点は重ならない。
柄に加わる力を効率良く箒の穂先に伝へ、穂先に加わる力を調節して掃く動作を円滑に行うことには難点がある。
【発明の開示】
【発明が解決しようとする課題】
【０００３】箒の持ち手の柄を力点とし、箒と柄の接続点を支点とし、そこから垂直に下ろした穂先の部分を作用点とする。
掃き掃除の効率を上げるためには、その力点と作用点とが交差一致することが望ましい。
本発明は、以上のような状態を生じさせるために力点と作用点の位置関係に注視してなされたものである。
【課題を解決するための手段】
【０００４】持ち手となる柄の先端部分を、Ｊ字状の形に造形する。
Ｊ字状に曲がった一部分に、箒の頭部の中央部分を接続する。  その箇所を支点とする。
作業を行う人が握る持ち手の柄の部分を力点とする。
接続部分の支点から下ろした穂先の部分を作用点とする。
力点である持ち手の柄の直線部分から延長した線上に、箒の穂先の作用点が交差一致するように柄と箒との接続位置を設定する。
力点と作用点が重なり一致することによって、作業を行う人の腕の力が効率良く作用点に伝達される。
【発明の効果】
【０００５】箒の穂先を床面と水平に保った状態で、力点の延長線上に作用点が重なる構造に設定することによって、持ち手の柄から箒の穂先に腕の力が効率良く伝達される。
この状態で箒の柄から穂先に加える力の加減が容易になる。
作業動作は円滑になり、作業者の腕の疲労度は軽減される。
【発明を実施するための最良の形態】
【０００６】以下、本発明を実施するための最良の形態について説明する。
持ち手の柄の部分の一端を、Ｊ字の形状に作製する。
Ｊ字形にした柄の先の一部分に、箒の頭部の中央部分を接続する。
持ち手の柄の直線部分から延長した線上に、箒と持ち手の柄の接続部分から下ろした作用点が一致交差するように、持ち手の柄と箒との接続位置を設定する。
【図面の簡単な説明】
【０００７】
【図１】    本発明を横から拡大して見た図である。
【符号の説明】
【０００８】１    持ち手の柄
２    箒の部分
３    柄と箒の接合部分（支点となる。）
４    力点の想定延長線
５    想定作用点
【図１】
2010279670.tif 000003
(57)【要約】【課題】  コンパクトディスク等の収納部分の成型技術である。表面にしわ、たるみのない溶着、コンパクトディスクを圧縮せず傷ついたり破損をさせないくぼみを成型する技術を提供する。【解決手段】  ａ）ＰＶＣ軟質素材、ｂ）ボール、ｃ）ＰＶＣ硬質素材、ｄ）ボール、ｅ）ＰＶＣ軟質素材と重ね溶着する。ｂ）ボールは円盤の大きさにくり抜き、厚さは円盤よりすこし厚い適度なものを使用することにより円盤に圧がかからないくぼみを成型する。ウェルダー加工した際にａ）軟質ビニール素材がｃ）硬質ビニール素材側に伸び溶着することにより、硬質ビニールのあまり伸びない性質を利用し、さらにａ）とｅ）が互いに同じ力でひっぱりあいａ）表面にはしわ、たるみのない常態で成型されるものである。【選択図】図１
2010036982.tif 000002
【特許請求の範囲】
【請求項１】
素材にＰＶＣ（塩化ビニール）を使用し、コンパクトディスク等収納部位にＰＶＣ軟質素材、ボール、ＰＶＣ硬質素材、ボール、ＰＶＣ軟質素材と重ねあわせてウェルダー加工することによりしわ、たるみのないくぼみを形成し、その適度なくぼみの深さにより、コンパクトディスクを傷や破損から保護する成型技術である。
【発明の詳細な説明】
【技術分野】
【０００１】  本発明は、ＣＤ、ＤＶＤ収納部分の成型技術に関するものである。素材にＰＶＣ（塩化ビニール）を使用し、収納部分に適度なくぼみを出し、くぼみ内にコンパクトディスク等が収まりコンパクトディスク自身に傷が付きにくい。コンパクトディスク等収納部分のくぼみについては、ＰＶＣ軟質、ボール、ＰＶＣ硬質、ボール、ＰＶＣ軟質、と重ねウェルダー加工し溶着することにより成型している。これは硬質ＰＶＣと軟質ＰＶＣの硬さの違いを生かし、ウェルダー加工した際に軟質ＰＶＣが伸び硬質ＰＶＣ側へひっぱられ溶着し、適度な円盤収納部分のくぼみをだしているものである。
【背景技術】
【０００２】  従来から、ＣＤ．ＤＶＤ収納技術を使ったケースとして型くずれのしない形状のもので、プラスチック製品が主として利用されている。これは落下時にケースが割れることがしばしばある。衝撃から保護するものでプラスチック製品とクッション材とをあわせたものとして特許文献１に開示されているものがある。
【特許文献１】  特開２００７−１６２９号広報
【発明の開示】
【発明が解決しようとする課題】
【０００３】  冊子などにした場合、従来のプラスチック製品ではどうしても薄くならず、紙製や従来のビニール素材のものでは中身も守る強度が保てない。発明はこの２種の特徴を生かし、さらに不都合を解決した物である。
【課題を解決するための手段】
【０００４】  この課題を解決するための請求項１の発明は、ＰＶＣを使用素材として使用することにより薄さを追求したことを特徴とする。さらにはＰＶＣ素材だけでは強度が保てないという欠点はＰＶＣの間にボール紙を挟み込む事により解消している。適度な厚みと軟質素材を使用しているため、ケースを落としても破損することもなく、中の円盤は守られる。
さらに円盤を収納する部位に型押しで立体を出す技術により、円盤への圧縮による傷や破損の心配を解消するものである。
【発明の効果】
【０００５】  本発明はＰＶＣという素材を生かし、円盤の保護と、ケースの破損とを両立させたものである。
【発明を実施するための最良の形態】
【０００６】  図１は溶着する前の構造組織を表す断面図である。ｂ）ボールのくり抜きと適度なボールの厚さにより円盤は保護される。ｂ）とｄ）の間に硬質ＰＶＣ素材をはさむことにより、ａ）の軟質ＰＶＣがｃ）の硬質ＰＶＣ側に伸び溶着し、さらにａ）とｅ）が互いに同じ力でひっぱられａ）場にはしわやたるみのないものが成型される。【０００７】  図２は溶着し成型後を現す。ｆ）くぼみ部分が適度な深さを成し円盤を外部からの圧縮から保護する。
【産業上の利用可能性】
【０００８】  本発明に関する収納技術の素材は、塩化ビニールであるが、高周波ウェルダー加工で製造できる素材ならば、適応できる。
【図面の簡単な説明】
【０００９】
【図１】  ウェルダー加工で溶着する前の断面図である。
【図２】  溶着されくぼみを成型している図である。
【符号の説明】
【００１０】    ａ）ＰＶＣ軟質
ｂ）ボール
ｃ）ＰＶＣ硬質
ｄ）ボール
ｅ）ＰＶＣ軟質
ｆ）くぼみ
【図１】
2010036982.tif 000003
【図２】
2010036982.tif 000004
(57)【要約】【課題】  歯車が損傷する事が少ない簡単な構成で安価に電動工具を提供すること【解決手段】  上記の課題は、モータと、前記モータにより回転するピニオンと、前記ピニオンと噛合するハスバ歯車と、前記ハスバ歯車に接続され、所定の作業を行う先端工具と、を有する電動工具であって、前記ハスバ歯車は、回転軸を有しており、前記ハスバ歯車は、前記回転軸の軸方向に移動可能に設けられており、前記回転軸には、前記ハスバ歯車を前記軸方向に付勢する付勢手段が設けられていることにより解決することができる。【選択図】  図１
2010036326.tif 000002
【特許請求の範囲】
【請求項１】
モータと、
前記モータにより回転するピニオンと、
前記ピニオンと噛合するハスバ歯車と、
前記ハスバ歯車に接続され、所定の作業を行う先端工具と、
を有する電動工具であって、
前記ハスバ歯車は、回転軸を有しており、
前記ハスバ歯車は、前記回転軸の軸方向に移動可能に設けられており、
前記回転軸には、前記ハスバ歯車を前記軸方向に付勢する付勢手段が設けられていることを特徴とする電動工具。
【請求項２】
前記モータは、回転するモータ軸を有しており、
前記ピニオンは、前記モータ軸に固定されていることを特徴とする請求項１記載の電動工具。
【請求項３】
前記ハスバ歯車は、前記回転軸を回転中心とするハスバ歯車軸を有しており、
前記ハスバ歯車は、前記ハスバ歯車軸に固定されていることを特徴とする請求項１又は請求項２記載の電動工具。
【請求項４】
前記ハスバ歯車軸は、メタルにより回転可能に保持されていることを特徴とする請求項１から請求項３までのいずれか１項記載の電動工具。
【発明の詳細な説明】
【技術分野】
【０００１】
モータの回転を利用し先端工具により所定の作業を行う電動工具に関し、特に、先端工具が急激な荷重を受け、先端工具がロックすることがある電動工具に関する。
【０００２】
適用ができる製品として、例えば、コンクリート，石材等の穴あけ作業において、異常負荷によりモーターがロックした際の、歯車に掛かる衝撃力を緩衝するためコアドリルがある。
【背景技術】
【０００３】
従来の電動工具では、先端工具がロックした際にはモータの回転を伝達する歯車が損傷してしまう場合があった。歯車を損傷させないために、図３に示すようなスリップクラッチ機構８を有する電動工具が提案されている。これは、先端工具がロックした際に、スリップクラッチ機構８により、モータの回転がスピンドル９へと伝達されないように構成されている。
【０００４】
【特許文献１】特開２００２−１３７１７１号公報
【発明の開示】
【発明が解決しようとする課題】
【０００５】
しかしながら、上記したようなスリップクラッチ機構を採用した電動工具においては、スリップクラッチ機構にはクラッチ板，サラバネ，緩み防止付ナット等部品数が多く高価で、組立作業時にはスリップ動作トルクの管理等が必要であった。このため、高価な電動工具となっていた。
【０００６】
本発明は、歯車が損傷する事が少ない簡単な構成で安価に電動工具を提供することを目的とする。
【課題を解決するための手段】
【０００７】
上記目的は、モータと、前記モータにより回転するピニオンと、前記ピニオンと噛合するハスバ歯車と、前記ハスバ歯車に接続され、所定の作業を行う先端工具と、
を有する電動工具であって、前記ハスバ歯車は、回転軸を有しており、前記ハスバ歯車は、前記回転軸の軸方向に移動可能に設けられており、前記回転軸には、前記ハスバ歯車を前記軸方向に付勢する付勢手段が設けられていることにより達成することができる。
【発明の効果】
【０００８】
本発明により、歯車が損傷する事が少ない簡単な構成で安価に電動工具を提供することができる。
【発明を実施するための最良の形態】
【０００９】
本発明の一実施形態を、電動工具の例としてコアドリルを用いて説明する。
【００１０】
図１において、コアドリル１の構造断面図を示す。図２において、コアドリル１の動力伝達機構部の部分拡大図を示す。
【００１１】
図２において、モーター１ａの出力軸ピニオン１ｂの動力は、第一ハスバ歯車２と、該第一ハスバ歯車２に締結されたセカンドピニオン３と、該セカンドピニオン３と噛合うファイナルギヤを介し、該ファイナルギヤ４に締結されたスピンドル５に伝達され、穴あけを行なうものである。スピンドル５には、先端工具保持部１０が設けられており、ドリル刃を有する先端工具を着脱可能である。モータは１ａは、ハウジング２０に収容されている。
【００１２】
なお、ドリル刃は、モータ１ａが正転をした際に穴あけを行う。モータ１ａの正転とは、図２の右方向から見た際に反時計周りに回転する方向である。また、ピニオンは左ねじれのギヤが設けられており、第１ハスバ歯車２には、左ねじれのギヤが設けられている。このため、正転の際にドリル刃がロックすると、第１ハスバ歯車２がスラスト方向へと荷重を受けることとなる。
【００１３】
減速機構部において、前記第一ハスバ歯車２に締結されたセカンドピニオン３軸の一方の端部に付勢手段であるサラバネ６を設け、且つ該第一ハスバ歯車２に締結されたセカンドピニオン３の両端は、スラスト分力の荷重方向に可動可能な嵌め合う輪形状の軸受けメタル７ａ、７ｂを配設し回転可能に支持する。
【００１４】
このように、皿バネ６は、第１ハスバ歯車のスラスト方向であり前方向に設けられている。
【００１５】
該サラバネは、該第一ハスバ歯車２のネジレ形状により発生するスラスト分力の荷重により、異常負荷時における許容荷重を超えた際たわむと同時に、該サラバネのたわみ量だけ第一ハスバ歯車が回転し第１ハスバ歯車軸２ａの回転軸方向へと移動するために、歯面に掛かる衝撃を緩衝可能とする。
【００１６】
ピニオン１ｂと第１ハスバ歯車２の間での歯面に掛かる衝撃を緩衝可能としたので、歯面が大きなファイナルギヤ４に設けるよりもより長寿命な電動工具とする事ができる。
【００１７】
また、このようにメタルで７ａ、７ｂで、第１ハスバ歯車軸２ａを回転可能に支持するために、ボールベアリングでは、第１ハスバ歯車軸２ａが第一ハスバ歯車が回転し第１ハスバ歯車軸２ａの回転軸方向へと移動する際に、ボールベアリングが損傷する場合があったが、メタル７ａ、７ｂにより構成したので、より長寿命な電動工具とすることができる。
【００１８】
なお、本発明においては、スラスト方向であり前方向への荷重が掛かるようにモータ１ａ、ピニオン１ｂ及び第１ハスバ歯車を構成した。しかし、ピニオンを右ねじれにし、第１ハスバ歯車を左ねじれとすることによりスラスト方向であり後方向への荷重が掛かるように構成し、皿バネ６を第１ハスバ歯車のスラスト方向であり後方向に設けるようにしても良い。
【図面の簡単な説明】
【００１９】
【図１】本発明の一実施形態を示す電動工具の一例であるコアドリルの一部断面正面図
【図２】本発明の一実施形態を示す電動工具の一例であるコアドリルの一部断面底面図
【図３】従来の電動工具を示す一部断面正面図
【符号の説明】
【００２０】
１ａ  モータ、１ｂ  ピニオン、２  第１ハスバ歯車、３  セカンドピニオン、４  ファイナルギヤ、５  スピンドル、６  皿バネ、  ７ａ  メタル、７ｂ  メタル
【図１】
2010036326.tif 000003
【図２】
2010036326.tif 000004
【図３】
2010036326.tif 000005
(57)【要約】【課題】  本発明は、国産リチウム、ストロンチウム、マンガンを採取することができる温泉廃水溶存レアメタルの採取方法を得るにある。【解決手段】  請求項１の構成要件とで、温泉廃水溶存リチウム、ストロンチウム、マンガンの採取方法を構成している。【選択図】図１
2010036176.tif 000002
【特許請求の範囲】
【請求項１】
リチウムイオン、ストロンチウムイオン、マンガンイオン、を溶存する温泉水で満たされた湯舟から、源泉かけ流しで廃棄され、公共下水・河川水・海水と混合する前の清浄な廃水を原料水とし、原料水が流れる水路に、イオン吸着槽を据えて、原料水を自然力で通水させ、揚水ポンプ・上部タンク・送水管・外部エネルギーの必要なしで自然力と化学力でイオン吸着が行われるようにし、温泉が湧き続ける限り放ったらかしにしておいても、いつでも自動的に働き続けるようにし、廃ペットボトル材で手作りし、自作で造粒したイオン鋳型吸着剤の入ったイオン吸着槽を、全国のリチウムイオン、ストロンチウムイオン、マンガンイオンを含有温泉の湯舟の排水路に布設し、全国一斉自動稼働させてリチウム、ストロンチウム、マンガンを採取することを特徴とする温泉廃水溶存リチウム、ストロンチウム、マンガンの採取方法。
【請求項２】
イオン吸着槽はボトル形吸着槽を複数個連結して構成する事を特徴とする請求項１記載の採取方法。
【発明の詳細な説明】
【技術分野】
【０００１】  この発明は、温泉廃水溶存リチウム、ストロンチウム、マンガンの採取方法に関する。
【背景技術】
【０００２】  従来、温泉廃水からリチウム、ストロンチウム、マンガンを採取した事例はない。
リチウム採取関連技術として次のものが知られている。
【非特許文献１】岡部史郎ら、海洋の化学、１９８０
【非特許文献２】大井健太、海水からのリチウム採取技術の開発、日本海水学会誌、１９９７
【発明の開示】
【発明が解決しようとする課題】
【０００３】  ７月５日付日経新聞によれば、経済産業省はレアメタルの価格高騰に加え資源国の輸出規制で調達が厳しくなるなか、現在ニッケルに限られている採鉱の政府出資を１４鉱物に拡大し、中国やアフリカでの資源開発と調達を強化するとあった。【０００４】  この１４鉱物の中でリチウム、ストロンチウム、マンガンと言う品名は、日本では６０年も前からたびたび目にする品名である。どこで見るかと言えば温泉旅館の脱衣所に掲示されている温泉分析書に書かれているからである。【０００５】  日本は火山国で世界一の数を誇る温泉国である。数ある温泉の中にはレアメタルを含有する温泉が多数有る。【０００６】  日本の温泉場では、源泉かけ流しが主流で、湯舟に満たした源泉をかけ流しでどんどん廃てている。これが昔からの温泉場の光景であって誰も不思議に思わない。然しこの見慣れた光景も視点を変えると別のものが見えてくる。日本の国産レアメタルは、世界に類例を見ないかたちで、温泉に溶けて地下から湧きでている。その量も日本全体では莫大な量になる。然し、この湧出レアメタルは源泉かけ流しで総て廃てられている。【０００７】  国費を使って中国やアフリカに行って採鉱しようというのに、片方では大地の恵みとして湧き出している貴重なレアメタルを採取することもなく、総て廃ててしまうことは問題である。
本発明は、国産レアメタルを採取するため、温泉廃水溶存リチウム、ストロンチウム、マンガンの採取方法を提供する事を目的としている。
【課題を解決する為の手段】
【０００８】  上記目的を達成するために、本発明はリチウムイオン、ストロンチウムイオン、、マンガンイオンを溶存する温泉水で満たされた湯舟から源泉かけ流しで廃棄され、公共下水・河川水・海水と混合する前の清浄な廃水を原料水とし、原料水が流れる水路に、イオン吸着槽を据えて、原料水を自然力で通水させ、揚水ポンプ・上部タンク・送水管・外部エネルギーの必要なしで、自然力と化学力でイオン吸着が行われるようにし、温泉が湧き続ける限り放ったらかしにしておいても、いつでも自動で働き続けるようにし、廃ペットボトル材で手作りし、自作で造粒したイオン鋳型吸着剤の入ったイオン吸着槽を、全国のリチウムイオン、ストロンチウムイオン、マンガンイオンを含有温泉の湯舟の排水路に布設し、全国一斉自動作動させてリチウム、ストロンチウム、マンガンを採取することを特徴とする温泉廃水溶存リチウム、ストロンチウム、マンガンの採取方法を提供する。
【発明の効果】
【０００９】  以上の説明で明らかなように本発明にあっては、次に列挙する効果が得られる。
【００１０】  日本にも世界にも類例のない方法で、国産レアメタルの採取ができる。
【００１１】  揚水ポンプ・上部タンク・送水管・外部エネルギーを必要とせず、自然力と化学力とでレアメタルの吸着・分離ができる。
【００１２】  温泉が湧き続ける限り、放ったらかしにしておいてもいつまでもレアメタルを吸着し続ける。
【００１３】  全国の温泉場で一斉自動作動させることができる。
【００１４】  設備コスト、ランニングコストともに最低コストで事業できる。
【００１５】  国産レアメタル採取という夢を実現させた。
【００１６】  レアメタル採取という新事業の創造と、全国的な就業機会の増大を実現させた。
【発明を実施する為の最良の形態】
【００１７】  発明を実施するための最良の形態を図面を参照して説明する。
【００１８】  図１は、全体図１である。図２は横型２と縦型３を示している。
【００１９】  図１、及び図２は、原料水４が流れる水路上に、イオン吸着槽５を据えて、自然力で原料水４を通水させている状態を示している。
【００２０】  吸着槽５は、ボトル型吸着槽６を複数連結して構成されている。ボトル型吸着槽６は、同形２本のペットボトルの底を抜き、つなぎ合わせ、両端に注入口７と吐出口８がついた形をしている。ボトル型吸着槽６には固体で微細な吸着剤９が入っており、流失を防ぐため吐出口７の手前にナイロン製メッシュ網１０が張られている。
【００２１】  吸着槽の注入口７は、オリフィスを形成しておりベルヌイ効果１１が得られるように構成されている。
【００２２】  以上の手段による作用を以下に列挙する。
１．レアメタルの採取方法は、イオン吸着法で行い、イオン鋳型吸着剤と大量の原料水を接触させて、吸着・分離する。
２．吸着必要日数は、水量、濃度、吸着率によって決まるが、仮に１０日とすると１０日毎に吸着剤を取り出し、溶脱処理して、レアメタル溶液は回収し、吸着剤は再度使用する。
【産業上の利用可能性】
【００２３】  国産レアメタルを採取する産業に利用される。
【図面の簡単な説明】
【００２４】
【図１】本発明を実施するための最良の形態の全体図。
【図２】本発明を実施するための最良の形態の横型図、ならびに縦型図。
【符号の説明】
【００２５】１    全体図
２    横型図
３    縦型図
４    原料水
５    イオン吸着槽
６    ボトル型吸着槽
７    注入口
８    吐出口
９    イオン鋳型吸着剤
１０  メッシュ網
１１  ベルヌイ効果
【図１】
2010036176.tif 000003
【図２】
2010036176.tif 000004